(57)【要約】【課題】建物の外壁材と軒天井材の取り合い部分である軒裏見切り部分に用いるシール材において、ねずみ等の小動物が屋根裏により一層侵入しにくくする。【解決手段】外壁材表面と対向して、該外壁材表面と共に軒裏見切り部分を構成する軒天井材1の側端部に該側端部に沿って取付けられシール材を、底部２１ａと、該底部２１ａの両端に一体形成されて対向する側壁部２１ｂと、両側壁部２１ｂを先端部において連結する湾曲する連結部２１ｃを有して可撓性を有し、凹凸に形成される外壁材表面に弾接する、ゴム様弾性体よりなる中空状のシール部で構成し、外壁材への突出量ｂを外壁材表面に形成される凹凸の最大深さをなす凹部底の深さｈより大に形成すると共に、外壁材表面に弾接する部分にはスリット２３を軒天井材側端面に沿う長手方向に適当間隔で形成し、スリット２３間を弾片２４とする。【選択図】図７
2015218445.tif 000002
【特許請求の範囲】
【請求項１】
建物の外壁材４と軒天井材１の取り合い部分である軒裏見切り部分に用いるシール材２１、３１、３５、３８、４１であって、外壁材表面と対向して、該外壁材表面と共に軒裏見切り部分を構成する軒天井材1の側端面又は側端部に該側端面又は側端部に沿って取付けられ、底部２１ａ、３１ａと、該底部２１ａ、３１ａの両端に一体形成されて対向する側壁部２１ｂ、３１ｂと、両側壁部２１ｂ、３１ｂを先端部において連結する湾曲ないし平坦な連結部２１ｃ、３１ｃを有して可撓性を有し、凹凸に形成される外壁材表面に弾接する、ゴム様弾性体よりなる中空状のシール部からなり、外壁材への突出量ｂが外壁材表面に形成される凹凸の最大深さをなす凹部底の深さｈより大に形成されると共に、少なくとも外壁材表面に弾接する部分にはスリット２３、３２が軒天井材側端面に沿う長手方向に適当間隔で形成されることを特徴とするシール材。
【請求項２】
前記中空状のシール部は両側壁部２１ｂ、３１ｂのうち、少なくとも一方の側壁部には連結部２１ｃ、３１ｃより突出する突出リップ２１ｄ、３１ｄが形成されることを特徴とする請求項１記載のシール材。
【請求項３】
両側壁部２１ｂ、３１ｂは、そのうちの少なくとも下側の側壁部が上向きに凸状に湾曲して形成されることを特徴とする請求項１又は２記載のシール材。
【請求項４】
突出リップ３１ｄが軒上側に位置するリップで、内向きに形成されることを特徴とする請求項２記載のシール材。
【請求項５】
建物の外壁材４と軒天井材１の取り合い部分である軒裏見切り部分のシール構造であって、外壁材表面と対向して、該外壁材表面と共に軒裏見切り部分を構成する軒天井材１の側端面又は側端部に請求項１ないし４記載のシール材２１、３１、３５、３８、４１を取付けたことを特徴とする軒裏見切り部分のシール構造。
【発明の詳細な説明】
【技術分野】
【０００１】
本発明は、勾配屋根を有する建物の外壁材と軒天井材の取り合い部分である軒裏見切り部分に用いるシール材と、該シール材を備えたシール構造に関する。
【背景技術】
【０００２】
図１は、軒裏見切り部分のシール構造の従来例を示すもので、軒天井材１の外壁表面と対向する端部には、軒裏見切り部分のシール材としてスポンジ３が硬質樹脂又は金属製の取付具２を介して取付けられ、軒天井材１を施工したときにスポンジ３が外壁材４表面に押付けられて軒裏見切り部分がシールされるようになっている。
【０００３】
シール材としては、前述のスポンジ以外に外壁材表面に弾接するリップを備えたものも知られる（特許文献１）。図２に示されるものがそうで、軒天井材５に添設の軒裏野縁６に取付具７によって取付けられ、外壁材１１表面に押付けられるリップ９を一体形成した水返し材８よりなっている。図中、１２は通気孔である。
【０００４】
図１に示すように外壁材４の表面が凹凸をしていると、シール材としてのスポンジ３が凹部４ａ底に当接しないで、凹部底との間に隙間ｄが発生し、この隙間よりねずみやこうもりなどの小動物が屋根裏に侵入するおそれがある。スポンジ３が凹部底に達するほど、スポンジ３の厚みを厚くして外壁材４へのラップ量ａを大きくした場合、外壁材４表面の凸部と取付具２との間の間隔が狭いため、該スポンジ３が凸部４ｂに当たって圧縮されたとき、スポンジの反力で軒天井材１が取付具２と共に図１の左方に押されて、軒天井材側端面と外壁材表面との間の隙間が拡大し外観性を損なうようになる。
【０００５】
この問題に対処するため、特許文献２には図３に示すようにシール材１３を、硬質材よりなり、軒天井材１４の側端部に取付具１５を介して取着される保持部１６と、該保持部１６と一体形成され、斜め下方に保持部１６より離れる方向に延出する軟質部１７とで構成し、軟質部１７にはスリット１８を長手方向に一定間隔で形成してスリット間をリップ片１９とし、軒天井材１４を施工したとき、シール材１３の各リップ片１９が隣接するリップ片１９により動きを拘束されることなく個々に凹凸２０ａ、２０ｂを備えた外壁材表面に追従してシールできるようにしたものが開示されている。
【先行技術文献】
【特許文献】
【０００６】
【特許文献１】特開２００７−９２４１６号
【特許文献２】特開２０１３−１７７７７９号
【発明の概要】
【発明が解決しようとする課題】
【０００７】
特許文献２に開示されるシール材においては、図３に示すようにリップ片１９が外壁材表面の凹凸２０ａ、２０ｂによく追従し、凹部底にも接触して凹部底との間に隙間を生じにくく、また凸部２０ｂに当たるリップ片１９も軒裏見切り部分での隙間の範囲内で変形しうるようになり、隙間を広げて外観を損なう、といった問題を生ずることもない利点を有するが、なお改善される余地がある。
【０００８】
本発明は、ねずみ等の小動物が屋根裏により一層侵入しにくくするためのシール材と、該シール材を備えたシール構造を提供することを目的とする。
【課題を解決するための手段】
【０００９】
請求項１に係る発明は、建物の外壁材と軒天井材の取り合い部分である軒裏見切り部分に用いるシール材であって、外壁材表面と対向して、該外壁材表面と共に軒裏見切り部分を構成する軒天井材の側端面又は側端部に該側端面又は側端部に沿って取付けられ、底部と、該底部の両端に一体形成されて対向する側壁部と、両側壁部を先端部において連結する湾曲ないし平坦な連結部を有して可撓性を有し、凹凸に形成される外壁材表面に弾接する、ゴム様弾性体よりなる中空状のシール部からなり、外壁材への突出量ｂが外壁材表面に形成される凹凸の最大深さをなす凹部底の深さｈより大に形成されると共に、少なくとも外壁材表面に弾接する部分にはスリットが軒天井材側端面に沿う長手方向に適当間隔で形成されることを特徴とする。
【００１０】
請求項２に係る発明は、請求項１に係る発明において、前記中空状のシール部は両側壁部のうち、少なくとも一方の側壁部には連結部より突出する突出リップが形成されることを特徴とし、
請求項３に係る発明は、請求項１又は２に係る発明において、両側壁部は、そのうちの少なくとも下側の側壁部が上向きに凸状に湾曲して形成されることを特徴とする。
請求項４に係る発明は、請求項２に係る発明の突出リップが軒上側に位置するリップで、内向きに形成されることを特徴とする。
【００１１】
請求項５に係る発明は、建物の外壁材と軒天井材の取り合い部分である軒裏見切り部分のシール構造であって、外壁材表面と対向して、該外壁材表面と共に軒裏見切り部分を構成する軒天井材の側端面又は側端部に請求項１ないし４記載のシール材を取付けたことを特徴とする。
【発明の効果】
【００１２】
請求項１に係る発明によると、中空状のシール部は少なくとも外壁材表面に弾接する部分がスリットにより分断されて無数の弾片となり、個々の弾片は幅が狭く単独で撓むため、隣接する弾片により動きを拘束されることなく凹凸によく追従し、凸部では押し潰されて、該凸部に押し付けられた状態となり、凹部では凹部内で突出した状態となって凹部底に接触するが、この接触状態では、弾片は両側の側壁部に支持され、両端支持ばり状態となるため、リップが片持ちばり状態で部底に当たるよりも弾片の凹部底への押付力が増し、ねずみ等の小動物が弾片と凹部底とを押し分けて侵入しにくくなる。
【００１３】
請求項２に係る発明によると、中空状のシール部より突出する突出リップが外壁材表面の凹凸によく追従し、隙間の発生をより低減させることができる。
【００１４】
中空状のシール部が外壁材表面の凹凸に当たって押し潰されるとき、底部２１ａと、底部両端に連結される側壁部２１ｂと、該側壁部２１ｂの先端部を連結する連結部２１ｃとで構成される、図４に示すシール材２１のように、側壁部２１ｂが外向きに膨らんだ状態で押し潰されると、軒天井材１よりはみ出るおそれがあり、シール部の側壁部２１ｂが図示するように、軒天井材１より下向きにはみ出ると、目に付き易く外観不良を生ずるが、請求項３に係る発明のように少なくとも下側の側壁部が内向きに湾曲していると、中空状のシール部が押し潰されるとき、側壁部が内向きに屈曲して引込んだ状態で押し潰されるようになり、前述するような外観上の問題を生じない。そのうえ下側の側壁部と上側の側壁部の両側壁部が共に互いに内向きに湾曲し、突き当たった状態で外壁部表面に押し付けられると、押し付けられたときの反力が増し、凹部底への押付力もより大きくなってねずみ等の小動物の侵入がより生じ難くなる。
【００１５】
図４に示すシール材２１において、該連結部３１ｃから突出する側壁部３１ｂの延長部分である突出リップ２１ｄが図４とは逆に外向きに形成されていると、外壁材表面に押付けられたとき、図５に示すように開いて軒天井材１より下向きにはみ出て外観不良を生ずるおそれがあるが、請求項４に係る発明のように突出リップが内向きに形成されていると、外壁材表面に押付けられるとき、内向きに撓むようになり、前述するような外観上の不具合を生ずることがない。
【００１６】
請求項１ないし３記載のシール材を用いた請求項５に係る発明のシール構造によると、小動物の侵入を防止することができる。
【図面の簡単な説明】
【００１７】
【図１】シール材を備えた従来のシール構造の断面図。
【図２】シール材を備えた従来のシール構造の別の例の断面図。
【図３】軒裏見切り部分における別の従来例の斜視図。
【図４】外壁材表面に押付けられたシール部の側壁部が膨らんだ状態を示す断面図。
【図５】外壁材表面に押付けられたシール部の突出リップが外向きに開いた状態を示す断面図。
【図６】本発明に係るシール構造に用いるシール材の一部の斜視図。
【図７】図６に示すシール材を用いた軒裏見切り部分における断面図。
【図８】同シール構造の一部の斜視図。
【図９】シール材の納まり状態を示す断面図。
【図１０】シール材の別の例の斜視図。
【図１１】図１０に示すシール材を用いた軒裏見切り部分の断面図。
【図１２】図１０に示すシール材の変形態様を示す断面図。
【図１３】図１２に示すシール材を用いた軒裏見切り部分の断面図。
【図１４】シール材の更に別の例の断面図。
【図１５】図１４に示すシール材を用いた軒裏見切り部分の断面図。
【図１６】シール材の他の例の断面図。
【図１７】図１６に示すシール材を用いた軒裏見切り部分の断面図。
【発明を実施するための形態】
【００１８】
以下、本発明の実施形態のシール構造に用いるシール材と、該シール材を備えたシール構造について図面により説明する。図中、図１と同一構造部分には同一符号を付してある。したがって同一符号を付した部分は同一構造となっている。
【００１９】
図６は、本発明に係るシール構造に用いられるシール材２１を示すもので、該シール材２１は取付部となる底部２１ａと、底部両端に連結される側壁部２１ｂと、先細り形状をなす側壁部２１ｂの先端部を連結する湾曲した連結部２１ｃとで構成されて、断面が砲弾形状の中空状のシール部からなり、全体が軟質材、例えば硬度がＪＩＳＡ８０以下のゴム様弾性体である、例えばＥＰＤＭ等のゴム、熱可塑性エラストマー（ＴＰＥ）、軟質ＰＶＣ等の軟質材或いはこれと同材質のスポンジ材で形成されている。シール材２１は側壁部２１ｂが先細り形状でなく、平行をなしていてもよく、全体の断面形状が砲弾形状でなく、矩形状をなしていてもよい。シール材はまた、全体を軟質剤で形成しないで、その一部例えば底部２１ａを硬質材で形成してもよい。
【００２０】
シール材２１にはまた、連結部２１ｃ、好ましくは連結部２１ｃより側壁部２１ｂに達し、より好ましくは図示するように連結部２１ｃと側壁部２１ｂ全体にスリット２３がシール材２１の長手方向に適当間隔、好ましくは例えば１〜１０ｍｍの一定間隔のピッチで平行に無数に形成され、スリット間が個々に押し潰し可能な弾片２４となっている。
【００２１】
図６に示すシール材２１を施工する際には先ず、取付具２を外壁材施工前に取付けるか、又は外壁材施工後に軒天井材１の側端部に下側より当てがい、図示しない固定手段、例えば粘着テープ、接着剤又は釘等で固定する。その後、シール材２１を取付具２に前記底部２１ａを粘着テープ、接着剤等を用いて取着する。
【００２２】
図７は、建物の外壁材４と、シール材２１を取付具２を介して取付けた軒天井材１の取り合い部分である軒裏見切り部分を示すもので、外壁材施工後に軒天井材１１を施工する際には、軒裏見切り部分の隙間ｃが、例えば約２ｍｍとなるようにして行われる。
【００２３】
図８は、前記シール材２１によるシール構造を示すものであり、図９はシール材２１の納まり状態を示すもので、個々の弾片２４が外壁材１の凸部２０ｂでは押し潰され、凹部２０ａでは凹部内に突出した状態となる。シール材２１は図７の一点鎖線で示すように、突出量ｂが外壁材表面の凹凸の凹部４ａの最大深さｈより大であるため、凹部４内に突出する弾片２４は、同図に示すように連結部２１ｃが凹部底に当たって押し潰されるが、連結部２１ｃによる凹部底への押付力は、連結部２１ｃの両側が側壁部２１ｂで支持され、連結部２１ｃが両端支持ばり状に支持されるため、片持ちばり状に支持されるリップより強く、しかもねずみ等の小動物が連結部２１ｃと凹部底との間より押入って屋根裏側へ侵入するのをより確実に防ぐことができる。
【００２４】
図１０は、別の例のシール材３１を示すもので、該シール材３１は取付部となる底部３１ａと、底部両側に連結される側壁部３１ｂと、側壁部端を連結する平坦な連結部３１ｃとで構成されて断面が矩形状の中空状シール部からなり、両側壁部３１ｂが連結部３１ｃから延出し、該延出部が突出リップ３１ｄとなっている。そして両側壁部３１ｂと連結部３１ｃ及び突出リップ３１ｄには前記実施形態と同様、スリット３２が長手方向に適当間隔、好ましくは例えば１〜１０ｍｍの一定間隔のピッチで平行に無数に形成され、スリット間が弾片３３となっている。
【００２５】
図１１は、シール材３１を用いた軒天井材１と建物外壁材４の取り合い部分である軒裏見切り部分を示すもので、シール材３１を取付けた軒天井材１の施工は前記実施形態と同様に行われる。
【００２６】
図１２に示すシール材３５は、図１０に示すシール材３１の変形態様を示すもので、両側壁部３１ｂが互いに内向きに突出し湾曲して形成されると共に、両突出リップ３１ｄが内向きに形成されている。
【００２７】
図１３は、前記シール材３５を用いた軒天井材１と建物外壁材４の取り合い部分である軒裏見切り部分を示すもので、外壁材４に押付けられたシール材３５は図示するように両側壁部３１ｂが共に互いに内向きに湾曲すると共に、突出リップ３１ｄが内向きに折り曲げられ、軒天井材１よりはみ出ないようになっていて、外観不良を生じないようにしている。図１０に示す実施形態のシール材３１は施工後、図１１に示すような設置状態となることを意図しているが、断面形状のバラツキや組付けバラツキなどにより、側壁部３１ｂや突出リップ３１ｄが図４や図５に示す側壁部２１ｂや突出リップ２１ｄのように軒天井材１より下向きにはみ出るおそれがある。これに対し、図１３に示す実施形態のシール材３５では、側壁部３１ｂが共に互いに内向きに湾曲することにより、下向きにはみ出て外観不良を生ずるのを防止している。
【００２８】
図１４に示すシール材３８は、図１２に示すシール材３５の変形態様を示すもので、突出リップ３１ｄの一方、すなわちシール材３８を軒天井材１に取付けたときに、下側に位置する突出リップ３１ｄを除去した構造となっている。
【００２９】
図１５は、シール材３８を用いた軒天井材１と建物外壁材４の取り合い部分である軒裏見切り部分を示すもので、外壁材４に押付けられたシール材３８が軒天井材１より下向きにはみ出さないようになっている。
【００３０】
図１６に示すシール材４１は、図１２に示すシール材３５の更なる別の変形態様を示すもので、両側の突出リップ３１ｄが繋がって湾曲した突出部４２となっており、連結部３１ｃとで中空部４３を形成している。
【００３１】
図１７は、シール材４１を用いた軒天井材１と建物外壁材４の取り合い部分である軒裏見切り部分を示すもので、外壁材４に押付けられたシール材４１が軒天井材１よりはみ出さず、外壁材４への押付け力を強くして小動物の侵入を許さないようにしている。
【００３２】
なお、前記各実施形態のシール材３１、３５、３８では、建物外壁材４に弾接する突出リップ３１ｄを設けているが、図６に示される断面が砲弾形状の中空状のシール材２１においても、前記各実施形態のシール材３１、３５、３８に設けられる突出リップ３１ｄと同様、側壁部２１ｂの先端部から突出する突出リップを設けてもよい。また、図４及び図５に示すシール材も本発明の実施形態に係るシール材あって、軒天井材より下向きにはみ出るようなことがあっても特に外観上の見栄えが気にならない場合には十分に実用性がある。
【符号の説明】
【００３３】
１・・軒天井材
４・・外壁材
２１、３１、３５、３８、４１・・シール材
２１ａ、３１ａ・・底部
２１ｂ、３１ｂ・・側壁部
２１ｃ、３１ｃ・・連結部
２１ｄ、３１ｄ・・突出リップ
２３、３２・・スリット
２４、３３・・弾片
４２・・突出部
４３・・中空部
【図１】
2015218445.tif 000003
【図２】
2015218445.tif 000004
【図３】
2015218445.tif 000005
【図４】
2015218445.tif 000006
【図５】
2015218445.tif 000007
【図６】
2015218445.tif 000008
【図７】
2015218445.tif 000009
【図８】
2015218445.tif 000010
【図９】
2015218445.tif 000011
【図１０】
2015218445.tif 000012
【図１１】
2015218445.tif 000013
【図１２】
2015218445.tif 000014
【図１３】
2015218445.tif 000015
【図１４】
2015218445.tif 000016
【図１５】
2015218445.tif 000017
【図１６】
2015218445.tif 000018
【図１７】
2015218445.tif 000019